(57)【要約】【課題】  家庭内や、オフィスや、公共の待合室の椅子などで、手書きで簡単に相手にメッセージ等を伝達できる手書きボード及びこれを用いて自然に生活に溶け込ませることができる椅子を提供する。【解決手段】  手書きボード１０は、主表面が白色系に着色されると共に鏡面状にされた正方形の基板部１１と、基板部１１の全面に重ね合わされた正方形のカバー部１５とを備えている。基板部１１は、硬質で軽量の正方形の基板である基部１２と、基部１２の主表面の白系の色で鏡面状の表面層１３とにより構成されている。カバー部１５は、透明であると共に暖色系の色を含みさらに蛍光を発生するフレキシブルな樹脂材料からなる薄板である。カバー部１５が基板部１１の表面層１３に重ね合わされて、一隅で止め具１６により基板部１１に固定されて大部分が基板部１１から剥離可能にされている。【選択図】    図１
2006240267.tif 000002
【特許請求の範囲】
【請求項１】
平坦な板の主表面が白色系に着色されると共に鏡面状にされた基板部と、透明であると共に暖色系の色を含みさらに蛍光を発生するフレキシブルな樹脂材料からなる薄板であって、該基板部の主表面の略全面に剥離可能に重ね合わされて少なくとも外縁側の１箇所にて固定手段により該基板部に固定されて大部分が該基板部から剥離可能にされたカバー部とからなることを特徴とする手書きボード。
【請求項２】
前記請求項１に記載の手書きボードを、着座者が腰掛ける座部に用いたことを特徴とする椅子。
【発明の詳細な説明】
【技術分野】
【０００１】
本発明は、手書きで簡単に文字や絵等を書くことができると共に簡単に消去することができる手書きボード及びこれを用いた椅子に関する。
【背景技術】
【０００２】
家庭内や、待合室等のベンチなどで、簡単に相手にメッセージ等を伝達できる手段があれば便利であるが適当な手段が知られていない。例えば伝言板のようなものは、それ自体で場所を占めると共に、別途筆記手段が必要になるため、必ずしも普及していない。例えば、手書きボードとしては、従来から子供の玩具として、紙製の板の表面に青色等の寒色系の着色層を設けた基板部に、半透明のプラスチック製のフレキシブルなシートを被せ、シート表面から文字等を書くことにより、着色層の色を浮き上がらせて文字等を表すことができ、このシートを剥離することにより簡単に文字等を消去でき、何度も繰り返して使用できるものが知られている。しかし、この手書きボードは、もともと子供の簡易な玩具であり、表示される文字等の明瞭さが十分ではなく、また、ボードの強度も弱くて簡単に破損するような耐久性のないものであり、確実なメッセージの伝達を目的とするようなものではなかった。
【０００３】
これに対して、例えば特許文献１に示すように、ボード本体のケース表面に平板状の台板を固定し、台板を覆ってボード本体状に透明板を設け、透明板は表面に書き込み面を設けておりボード本体に対して開閉自在にされた手書きボードが知られている。この手書きボードは、筆記具を用いて透明板に文字等を書き込み、透明板を開いて台板との間に感熱ジアゾ感光紙を挟み、室内蛍光灯などで露光してから感光紙を取り出し、アイロン等で加熱して現像するものである。しかし、この手書きボードは、手書きしたものをそのまま表示するものではなく、簡単にメッセージ等を伝達できるものではなく、また構造も複雑であって使用しにくく、さらに高価でもある。
【特許文献１】特開平５−２６２０９２号公報
【発明の開示】
【発明が解決しようとする課題】
【０００４】
本発明は、上記問題を解決しようとするもので、家庭やオフィス内に設けられ、あるいは公共の待合室などに設けられて、手書きで簡単に相手にメッセージ等を伝達できる手書きボード及びこれを用いて自然に生活に溶け込ませることができる椅子を提供することを目的とする。
【課題を解決するための手段】
【０００５】
上記目的を達成するために、本発明の構成上の特徴は、平坦な板の主表面が白色系に着色されると共に鏡面状にされた基板部と、透明であると共に暖色系の色を含みさらに蛍光を発生するフレキシブルな樹脂材料からなる薄板であって、基板部の主表面の略全面に剥離可能に重ね合わされて少なくとも外縁側の１箇所にて固定手段により基板部に固定されて大部分が基板部から剥離可能にされたカバー部とからなることにある。なお、白色系とは、白色、アイボリー等であるが、特にアイボリーが好ましい。また、暖色系とは、黄色、オレンジ色、ピンク色等である。
【０００６】
上記のように構成した本発明においては、手書きボードに指先等で文字、イラスト、絵等を書くことにより、薄板が基板部に密着し、密着部分が文字等として浮き上がり、明確に表される。特に、基板部の主表面が白色系に着色されると共に鏡面状にされており、カバー部が透明であると共に暖色系の色を含みさらに蛍光を発生するようになっているため、文字やイラスト等がカバー部によって暖色でかつ蛍光を発した状態で表示される。その結果、本発明によれば、非常に明確で見やすく、またデザイン性のある表示が得られる。また、カバー部が基板部の外縁側の１箇所で固定手段により固定されているものであり、基板部の大部分を表示部分として使用することができる。また、手書きボードに表示された文字等を消去する場合は、フレキシブルな樹脂材料からなるカバー部を基板部から剥離して、再度基板部に重ね合せることにより、簡単に消去される。そのため、手書きボードへの手書き及び消去を何度でも、繰り返して使用することができる。
【０００７】
また、上記手書きボードを、着座者が腰掛ける座部に用いた椅子とすることができる。これにより、着座者が椅子に腰掛けると共に、待ち合せ相手に対して、待ち時間を利用して手書きボードを用いた座部に指先等で簡単に情報を残すことができるので、書くことでのコミュニケーションのツールとして有効である。
【発明の効果】
【０００８】
本発明においては、手書きボードに指先等で文字、イラスト等を書くことにより、カバー部が基板部に密着し、密着部分が文字、イラスト等として浮き上がり、特に、基板部の主表面が白色系に着色されると共に鏡面状にされており、カバー部が透明であると共に暖色系の色を含みさらに蛍光を発生するため、文字、イラスト等がカバー部の暖色を蛍光を発した状態で表示され、非常に明確な表示となる。また、フレキシブルな樹脂材料からなるカバー部を基板部から剥離して、再度基板部に重ね合せることにより、簡単に消去され手書きボードへの手書き及び消去を何度でも、繰り返して使用することができる。また、上記手書きボードを椅子として用いることができ、待ち合せ相手に対して、手書きボードを用いた座部を利用して手書きで簡単に座部に情報を残すことができるので便利である。
【発明を実施するための最良の形態】
【０００９】
以下、本発明の一実施例について図面を用いて説明する。図１、図２は実施例１である手書きボードを正面図及び底面図により概略的に示し、図３は手書きボードの使用状態を底面図により示したものである。手書きボード１０は、平坦な板の主表面が白色系に着色されると共に鏡面状にされた正方形の基板部１１と、基板部１１の全面に剥離可能に重ね合わされた正方形の薄板１５とを備えている。
【００１０】
基板部１１は、硬質で軽量の正方形の基板であり、アルミニウム、樹脂等により形成された基部１２と、基部１２の主表面に被覆されたアイボリー、白色等の白系の色の表面層１３とにより構成されている。ここでは、基部１２と表面層１３とは異なった材質になっているが、同一の材質とすることも可能である。カバー部１５は、透明であると共に暖色系の色を含みさらに蛍光を発生するフレキシブルな塩化ビニール等の樹脂材料からなり、厚さ０．８ｍｍ程度の薄板である。カバー部１５が基板部１１の表面層１３に重ね合わされて、正方形の一隅において固定手段である止め具１６により基板部１１に固定されて大部分が基板部１１から剥離可能にされている。なお、止め具１６による固定箇所は、１箇所に限らないが、カバー部１５が基板部１１のほぼ全面から剥離可能なようにする必要がある。
【００１１】
上記実施例１においては、手書きボード１０に指先で文字、イラスト等を書くことにより、図１に示すように、カバー部１５が基板部１１に密着し、密着部分が文字等として浮き上がり、明確に表される。特に、基板部１１の表面層１３が白色系に着色されると共に鏡面状にされており、カバー部１５が透明であると共に暖色系の色を含みさらに蛍光を発生ようになっているため、文字等がカバー部１５によって暖色でかつ蛍光を発した状態で表示される。その結果、実施例１によれば、非常に明確で見やすく、またデザイン性のある表示が得られる。また、カバー部１５が基板部１１の外縁側の１箇所のみで止め具１６により固定されているものであり、基板部１１の大部分を表示部分として使用することができる。
【００１２】
また、手書きボード１０に表示された文字等を消去する場合は、図３に示すように、フレキシブルな樹脂材料からなるカバー部１５を基板部１１から剥離して、再度基板部１１に重ね合せることにより、簡単に消去される。そのため、手書きボード１０への手書き及び消去を何度でも、繰り返して使用することができる。この手書きボード１０については、家庭の台所等に壁に吊るして、伝言板としたり飾り板としたりすることができ、家具等の側面に取り付けて利用することもできる。さらに、家庭に限らず、オフィス、駅の待合室等においても同様に利用することができる。なお、上記手書きボードの形状等については、実施例に示したものに限らず、種々の形状，構造が可能である。また、止め具１６の代わりに、釘等の類似の固定手段でもよく、さらに接着剤等による固定でもよい。
【００１３】
つぎに、実施例２について説明する。実施例２は、図４に示すように、上記手書きボード１０を、着座者が腰掛ける座部２１と脚部２２とを有する椅子２０の座部２１に重ね合せて用いたものである。これにより、着座者が、座部２１に重ね合わされた手書きボード１０を利用して文字等を手書きすることにより、文字等がカバー部１５によって暖色でかつ蛍光を発した状態で表示される。その結果、実施例１によれば、待ち合せ相手に対して、待ち時間を利用して非常に明確で見やすく、またデザイン性のある表示でメッセージ等を手書きボード１０を用いた座部２１に手書きで簡単に残すことができるので、書くことでのコミュニケーションのツールとして有効である。なお、実施例２では、手書きボード１０を座部２１に重ね合せたが、これに代えて、座部自体を手書きボード１０で構成することも可能である。この椅子２０については、家庭あるいはオフィスで用いることができるが、特に駅等の公共の待合室等において、連絡用として好適に用いることが可能である。なお、椅子の構造については、実施例に示したものに限らず、種々の構造の椅子に本発明を適用することが可能である。
【産業上の利用可能性】
【００１４】
本発明の手書きボードは、指先等で文字、イラスト等をなぞることにより、カバー部が基板に密着することで、基板部の主表面が白色系に着色されると共に鏡面状であることから、カバー部の透明で暖色系の色味が蛍光を発生した状態で表示されるため、非常に明確な表示となる。また、カバー部を基板部から剥離することにより、簡単に消去されるので、手書きボードへの手書き及び消去を何度でも繰り返して行うことができる。本発明の手書きボードは、伝言板や装飾用や椅子の座部に使用されるので、有用である。
【図面の簡単な説明】
【００１５】
【図１】本発明の実施例１である手書きボードを示す正面図である。
【図２】同手書きボードを示す底面図である。
【図３】同手書きボードの使用状態を示す底面図である。
【図４】同手書きボードを椅子の座部に使用した状態を示す斜視図である。
【符号の説明】
【００１６】
１０…手書きボード、１１…基板部、１２…基部、１３…表面層、１５…カバー部、２０…椅子。
【図１】
2006240267.tif 000003
【図２】
2006240267.tif 000004
【図３】
2006240267.tif 000005
【図４】
2006240267.tif 000006